【手続補正書】
【提出日】平成19年8月21日(2007.8.21)
【手続補正１】
【補正対象書類名】明細書
【補正対象項目名】特許請求の範囲
【補正方法】変更
【補正の内容】
【特許請求の範囲】
【請求項１】  宛先情報にインデックスを付した組を複数含む宛先情報テーブルに含まれるインデックスを指定することにより、データを該インデックスと対応付けられた宛先情報に送信するための送信テーブルを設定する設定手段と、
前記設定手段で設定された送信テーブルに基づく送信が終了する前に、前記宛先情報テーブルにおいて、当該送信テーブルに含まれるインデックスに対応する宛先情報が変更されたか否か判定する判定手段と、
前記判定手段により送信テーブルに含まれるインデックスに対応する宛先情報が変更されたと判定された場合、前記設定手段で設定された送信テーブルにおいてインデックスと対応付けられている宛先情報を変更後の宛先情報に変更する制御手段とを有することを特徴とするデータ送信装置。
【請求項２】  宛先情報にインデックスを付した組を複数含む宛先情報テーブルに含まれるインデックスを指定することにより、データを該インデックスと対応付けられた宛先情報に送信するための送信テーブルを設定する設定手段と、
前記設定手段で設定された送信テーブルに基づく送信が終了する前に、前記宛先情報テーブルにおいて、当該送信テーブルに含まれるインデックスに対応する宛先情報が変更されたか否か判定する判定手段と、
前記判定手段により送信テーブルに含まれるインデックスに対応する宛先情報が変更されたと判定された場合、前記設定手段で設定された送信テーブルにおいて当該インデックスに係る送信が実行されないよう制御する制御手段とを有することを特徴とするデータ送信装置。
【請求項３】  宛先情報にインデックスを付した組を複数含む宛先情報テーブルに含まれるインデックスを指定することにより、該インデックスと対応付けられた宛先情報を前記宛先情報テーブルを参照することにより取得し、該取得された宛先情報にデータを送信するための送信テーブルを設定する設定手段と、
前記設定手段で設定された送信テーブルに基づく送信が終了する前に、前記宛先情報テーブルにおいて、当該送信テーブルに含まれるインデックスに対応する宛先情報が削除されたか否か判定する判定手段と、
前記判定手段により送信テーブルに含まれるインデックスと対応する宛先情報が削除されたと判定された場合、当該送信テーブルにおける宛先情報の参照先を前記宛先情報テーブルから、削除前の宛先情報を一時保存している保存先に切り替えるよう制御する制御手段とを有することを特徴とするデータ送信装置。
【請求項４】  前記送信テーブルに基づく送信は、原稿を読み取って得た画像データの送信であることを特徴とする請求項１乃至３のいずれか１項に記載のデータ送信装置。
【請求項５】  前記送信テーブルに基づく送信は、受信した画像データを予め設定された転送条件に従って転送する処理であることを特徴とする請求項１乃至３のいずれか１項に記載のデータ送信装置。
【請求項６】  前記制御手段は、前記一時保存された削除前の宛先情報を、前記設定手段で設定された送信テーブルの削除に応じて削除するよう制御することを特徴とする請求項３に記載のデータ送信装置。
【請求項７】  宛先情報にインデックスを付した組を複数含む宛先情報テーブルに含まれるインデックスを指定することにより、データを該インデックスと対応付けられた宛先情報に送信するための送信テーブルを設定する設定工程と、
前記設定工程で設定された送信テーブルに基づく送信が終了する前に、前記宛先情報テーブルにおいて、当該送信テーブルに含まれるインデックスに対応する宛先情報が変更されたか否か判定する判定工程と、
前記判定工程において送信テーブルに含まれるインデックスに対応する宛先情報が変更されたと判定された場合、前記設定工程で設定された送信テーブルにおいてインデックスと対応付けられている宛先情報を変更後の宛先情報に変更する制御工程とを有することを特徴とするデータ送信方法。
【請求項８】  宛先情報にインデックスを付した組を複数含む宛先情報テーブルに含まれるインデックスを指定することにより、データを該インデックスと対応付けられた宛先情報に送信するための送信テーブルを設定する設定工程と、
前記設定工程で設定された送信テーブルに基づく送信が終了する前に、前記宛先情報テーブルにおいて、当該送信テーブルに含まれるインデックスに対応する宛先情報が変更されたか否か判定する判定工程と、
前記判定工程において送信テーブルに含まれるインデックスに対応する宛先情報が変更されたと判定された場合、前記設定工程で設定された送信テーブルにおいて当該インデックスに係る送信が実行されないよう制御する制御工程とを有することを特徴とするデータ送信方法。
【請求項９】  宛先情報にインデックスを付した組を複数含む宛先情報テーブルに含まれるインデックスを指定することにより、該インデックスと対応付けられた宛先情報を前記宛先情報テーブルを参照することにより取得し、該取得された宛先情報にデータを送信するための送信テーブルを設定する設定工程と、
前記設定工程で設定された送信テーブルに基づく送信が終了する前に、前記宛先情報テーブルにおいて、当該送信テーブルに含まれるインデックスに対応する宛先情報が削除されたか否か判定する判定工程と、
前記判定工程において送信テーブルに含まれるインデックスと対応する宛先情報が削除されたと判定された場合、当該送信テーブルにおける宛先情報の参照先を前記宛先情報テーブルから、削除前の宛先情報を一時保存している保存先に切り替えるよう制御する制御工程とを有することを特徴とするデータ送信方法。
【請求項１０】  請求項７乃至９のいずれか１項に記載のデータ送信方法をコンピュータに実行させるための制御プログラムを記憶したことを特徴とするコンピュータ読み取り可能な記憶媒体。
【手続補正２】
【補正対象書類名】明細書
【補正対象項目名】０００１
【補正方法】変更
【補正の内容】
【０００１】
【発明の属する技術分野】
本発明は、データ送信装置、データ送信方法、及び記憶媒体に関し、特に、データを、宛先情報にインデックスを付した組を複数含む宛先情報テーブルに含まれるインデックスを指定することにより、該インデックスと対応付けられた宛先情報に送信するためのデータ送信装置、データ送信方法、及び記憶媒体に関する。
【手続補正３】
【補正対象書類名】明細書
【補正対象項目名】０００２
【補正方法】削除
【補正の内容】
【手続補正４】
【補正対象書類名】明細書
【補正対象項目名】０００３
【補正方法】変更
【補正の内容】
【０００３】
【従来の技術】
従来、データ送信システムでは、宛先管理コンポーネントが宛先情報のインデックス保管処理を行い、ジョブ管理コンポーネントが送信ジョブの実行処理を行っている。送信ジョブの実行時には、ジョブ管理コンポーネントが宛先管理コンポーネントから、送信ジョブに含まれるインデックスを基に、対応する宛先情報を取得して送信ジョブ対応宛先情報を作成し、これに基づいて送信処理を実行する。
【手続補正５】
【補正対象書類名】明細書
【補正対象項目名】０００４
【補正方法】削除
【補正の内容】
【手続補正６】
【補正対象書類名】明細書
【補正対象項目名】０００５
【補正方法】削除
【補正の内容】
【手続補正７】
【補正対象書類名】明細書
【補正対象項目名】０００６
【補正方法】削除
【補正の内容】
【手続補正８】
【補正対象書類名】明細書
【補正対象項目名】０００７
【補正方法】変更
【補正の内容】
【０００７】
【発明が解決しようとする課題】
しかしながら、ジョブ管理コンポーネントにおいて、送信ジョブが実行中または待機中であって、その送信ジョブに含まれるインデックスを基にした送信ジョブ対応宛先情報の作成が既に行われた後に変更が生じた場合、送信ジョブ対応宛先情報は変更前の宛先情報を基に作成されたものである。そのため、ユーザが送信したい宛先でない宛先に誤送信してしまうという問題があった。
【手続補正９】
【補正対象書類名】明細書
【補正対象項目名】０００８
【補正方法】削除
【補正の内容】
【手続補正１０】
【補正対象書類名】明細書
【補正対象項目名】０００９
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１３
【補正方法】変更
【補正の内容】
【００１３】
【課題を解決するための問題】
上記目的を達成するために、請求項１に記載のデータ送信装置は、宛先情報にインデックスを付した組を複数含む宛先情報テーブルに含まれるインデックスを指定することにより、データを該インデックスと対応付けられた宛先情報に送信するための送信テーブルを設定する設定手段と、前記設定手段で設定された送信テーブルに基づく送信が終了する前に、前記宛先情報テーブルにおいて、当該送信テーブルに含まれるインデックスに対応する宛先情報が変更されたか否か判定する判定手段と、前記判定手段により送信テーブルに含まれるインデックスに対応する宛先情報が変更されたと判定された場合、前記設定手段で設定された送信テーブルにおいてインデックスと対応付けられている宛先情報を変更後の宛先情報に変更する制御手段とを有することを特徴とする。
【手続補正１３】
【補正対象書類名】明細書
【補正対象項目名】００１４
【補正方法】変更
【補正の内容】
【００１４】
請求項２に記載のデータ送信装置は、宛先情報にインデックスを付した組を複数含む宛先情報テーブルに含まれるインデックスを指定することにより、データを該インデックスと対応付けられた宛先情報に送信するための送信テーブルを設定する設定手段と、前記設定手段で設定された送信テーブルに基づく送信が終了する前に、前記宛先情報テーブルにおいて、当該送信テーブルに含まれるインデックスに対応する宛先情報が変更されたか否か判定する判定手段と、前記判定手段により送信テーブルに含まれるインデックスに対応する宛先情報が変更されたと判定された場合、前記設定手段で設定された送信テーブルにおいて当該インデックスに係る送信が実行されないよう制御する制御手段とを有することを特徴とする。
【手続補正１４】
【補正対象書類名】明細書
【補正対象項目名】００１５
【補正方法】変更
【補正の内容】
【００１５】
請求項３に記載のデータ送信装置は、宛先情報にインデックスを付した組を複数含む宛先情報テーブルに含まれるインデックスを指定することにより、該インデックスと対応付けられた宛先情報を前記宛先情報テーブルを参照することにより取得し、該取得された宛先情報にデータを送信するための送信テーブルを設定する設定手段と、前記設定手段で設定された送信テーブルに基づく送信が終了する前に、前記宛先情報テーブルにおいて、当該送信テーブルに含まれるインデックスに対応する宛先情報が削除されたか否か判定する判定手段と、前記判定手段により送信テーブルに含まれるインデックスと対応する宛先情報が削除されたと判定された場合、当該送信テーブルにおける宛先情報の参照先を前記宛先情報テーブルから、削除前の宛先情報を一時保存している保存先に切り替えるよう制御する制御手段とを有することを特徴とする。
【手続補正１５】
【補正対象書類名】明細書
【補正対象項目名】００１６
【補正方法】変更
【補正の内容】
【００１６】
上記目的を達成するために、請求項７に記載のデータ送信方法は、宛先情報にインデックスを付した組を複数含む宛先情報テーブルに含まれるインデックスを指定することにより、データを該インデックスと対応付けられた宛先情報に送信するための送信テーブルを設定する設定工程と、前記設定工程で設定された送信テーブルに基づく送信が終了する前に、前記宛先情報テーブルにおいて、当該送信テーブルに含まれるインデックスに対応する宛先情報が変更されたか否か判定する判定工程と、前記判定工程において送信テーブルに含まれるインデックスに対応する宛先情報が変更されたと判定された場合、前記設定工程で設定された送信テーブルにおいてインデックスと対応付けられている宛先情報を変更後の宛先情報に変更する制御工程とを有することを特徴とする。
【手続補正１６】
【補正対象書類名】明細書
【補正対象項目名】００１７
【補正方法】変更
【補正の内容】
【００１７】
請求項８に記載のデータ送信方法は、宛先情報にインデックスを付した組を複数含む宛先情報テーブルに含まれるインデックスを指定することにより、データを該インデックスと対応付けられた宛先情報に送信するための送信テーブルを設定する設定工程と、前記設定工程で設定された送信テーブルに基づく送信が終了する前に、前記宛先情報テーブルにおいて、当該送信テーブルに含まれるインデックスに対応する宛先情報が変更されたか否か判定する判定工程と、前記判定工程において送信テーブルに含まれるインデックスに対応する宛先情報が変更されたと判定された場合、前記設定工程で設定された送信テーブルにおいて当該インデックスに係る送信が実行されないよう制御する制御工程とを有することを特徴とする。
【手続補正１７】
【補正対象書類名】明細書
【補正対象項目名】００１８
【補正方法】変更
【補正の内容】
【００１８】
請求項９に記載のデータ送信方法は、宛先情報にインデックスを付した組を複数含む宛先情報テーブルに含まれるインデックスを指定することにより、該インデックスと対応付けられた宛先情報を前記宛先情報テーブルを参照することにより取得し、該取得された宛先情報にデータを送信するための送信テーブルを設定する設定工程と、前記設定工程で設定された送信テーブルに基づく送信が終了する前に、前記宛先情報テーブルにおいて、当該送信テーブルに含まれるインデックスに対応する宛先情報が削除されたか否か判定する判定工程と、前記判定工程において送信テーブルに含まれるインデックスと対応する宛先情報が削除されたと判定された場合、当該送信テーブルにおける宛先情報の参照先を前記宛先情報テーブルから、削除前の宛先情報を一時保存している保存先に切り替えるよう制御する制御工程とを有することを特徴とする。
【手続補正１８】
【補正対象書類名】明細書
【補正対象項目名】００１９
【補正方法】変更
【補正の内容】
【００１９】
上記目的を達成するために、請求項１０に記載のコンピュータで読み取り可能な記憶媒体は、上記データ送信方法をコンピュータに実行させるためのプログラムを記憶したことを特徴とする。
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】削除
【補正の内容】
【手続補正３０】
【補正対象書類名】明細書
【補正対象項目名】０１２７
【補正方法】変更
【補正の内容】
【０１２７】
【発明の効果】
以上詳述したように、本発明によれば、送信ジョブの実行中または待機中に宛先情報に変更が生じた場合でも、ジョブ発行時に選択した宛先ではない変更後の宛先に対して送信が行われることを確実に防止できる。
【手続補正３１】
【補正対象書類名】明細書
【補正対象項目名】０１２８
【補正方法】削除
【補正の内容】
【手続補正３２】
【補正対象書類名】明細書
【補正対象項目名】０１２９
【補正方法】削除
【補正の内容】
【手続補正３３】
【補正対象書類名】明細書
【補正対象項目名】０１３０
【補正方法】削除
【補正の内容】
【手続補正３４】
【補正対象書類名】明細書
【補正対象項目名】０１３１
【補正方法】削除
【補正の内容】
【手続補正３５】
【補正対象書類名】明細書
【補正対象項目名】０１３２
【補正方法】削除
【補正の内容】
【手続補正３６】
【補正対象書類名】明細書
【補正対象項目名】０１３３
【補正方法】削除
【補正の内容】
【手続補正３７】
【補正対象書類名】明細書
【補正対象項目名】０１３４
【補正方法】変更
【補正の内容】
【０１３４】
本発明によれば、宛先情報テーブルから宛先情報が消去された場合でも、その宛先を送信先として設定されていた送信指令書に基づき、正常に送信処理が行われ得る。
【手続補正３８】
【補正対象書類名】明細書
【補正対象項目名】０１３５
【補正方法】削除
【補正の内容】
【手続補正３９】
【補正対象書類名】明細書
【補正対象項目名】０１３６
【補正方法】削除
【補正の内容】
【手続補正４０】
【補正対象書類名】明細書
【補正対象項目名】０１３７
【補正方法】削除
【補正の内容】
【手続補正４１】
【補正対象書類名】明細書
【補正対象項目名】０１３８
【補正方法】削除
【補正の内容】
【手続補正４２】
【補正対象書類名】明細書
【補正対象項目名】０１３９
【補正方法】削除
【補正の内容】
【手続補正４３】
【補正対象書類名】明細書
【補正対象項目名】符号の説明
【補正方法】変更
【補正の内容】
【符号の説明】
１０１  画像形成部
１０２  制御部
１０３  フィニッシャー
１０４  スキャナ部
１０５  操作部
１０６  複数の受信インターフェース
１０７  複数の送信インターフェース
１０８  中央処理装置
１０９  記憶装置
１００１  複写機
１００２  プリンタ
１００３  ファクシミリ
ｌ００４  データベース／メールサーバ
１００５  クライアントコンピュータ
１００６  イーサネット
２０００  コントローラユニット（データ送信装置）
２００１  ＣＰＵ
２００２  ＲＡＭ
２００３  ＲＯＭ
２００４  ＨＤＤ
２００５  イメージバスＩ／Ｆ
２００６  操作部Ｉ／Ｆ
２００７  システムバス
２００８  画像バス
２０１０  ネットワークＩ／Ｆ
２０１１  ＬＡＮ
２０１２  操作部
２０２０  デバイスＩ／Ｆ
２０３０  画像回転部
２０４０  画像圧縮部
２０５０  モデム
２０５１  公衆回線
２０６０  ＲＩＰ
２０７０  スキャナ
２０８０  スキャナ画像処理部
２０９０  プリンタ画像処理部
２０９５  プリンタ
３０００  送信管理コンポーネント
３００１  操作部コンポーネント
３００２  宛先管理コンポーネント
３００３  ジョブ管理コンポーネント
３００４  スキャナ管理コンポーネント
３００５  プリントコンポーネント
３００６  ファクシミリ送信コンポーネント
３００７  データベース格納コンポーネント
３００８  メール送信コンポーネント